(57)【特許請求の範囲】
【請求項１】
一対のバルブ(１)(１)がバルブスプリング(２)(２)で閉弁方向に付勢され、両バルブ(１)(１)の上端のバルブ入力部(３)(３)にバルブブリッジ(４)の長手方向両端のブリッジ出力部(５)(５)が載って、バルブブリッジ(４)が一対のバルブ入力部(３)(３)上に架設され、このバルブブリッジ(４)の長手方向中央部にバルブブリッジ(４)のブリッジ入力部(６)が形成され、このブリッジ入力部(６)の上面(７)にロッカアーム(８)の先端のロッカアーム出力部(９)が接当され、ロッカアーム出力部(９)の下向き揺動により、バルブブリッジ(４)が下向きに押され、一対のバルブ(１)(１)がバルブスプリング(２)(２)の付勢力に抗して開弁され、ロッカアーム出力部(９)の上向き揺動により、一対のバルブ(１)(１)とバルブブリッジ(４)とがバルブスプリング(２)(２)の付勢力で上昇して、一対のバルブ(１)(１)が閉弁され、バルブブリッジ(４)は昇降ガイド部による案内なしで昇降されるようになっている、エンジンの動弁装置において、
バルブブリッジ(４)のブリッジ入力部(６)の下方に錘部(１１)が垂設され、
バルブブリッジ(４)の素材に焼結合金が用いられ、錘部(１１)にはバルブブリッジ(４)よりも比重の大きい素材が用いられ、
錘部(１１)から上向きに延長部(１１ｂ)が導出され、この延長部(１１ｂ)でバルブブリッジ(４)の他の部分よりも耐磨耗性の高いブリッジ入力部(６)が形成され、
両ブリッジ出力部(５)(５)の下部にバルブ入力部嵌合凹部(１３)(１３)が設けられ、各バルブ入力部嵌合凹部(１３)の内周面が相互に連続する径大円弧状内周面(１４)と径小円弧状内周面(１５)で構成され、
両径小円弧状内周面(１５)は連続する径大円弧状内周面(１４)よりもバルブブリッジ(４)の長手方向中央寄りに配置され、または、両径小円弧状内周面(１５)は連続する径大円弧状内周面(１４)よりもバルブブリッジ(４)の長手方向端部寄りに配置され、
一対のバルブ入力部(３)(３)はその両方が、一対の径大円弧状内周面(１４)(１４)に沿って内嵌され、または、一対のバルブ入力部(３)(３)はその両方が、一対の径小円弧状内周面(１５)(１５)に沿って内嵌され、
バルブスプリング(２)(２)のスプリングリテーナ(１６)上に溜まったエンジンオイル(１７)が、バルブ入力部(３)が内嵌されていないバルブ入力部嵌合凹部(１３)の空き空間(１８)を介して、ブリッジ出力部(５)とバルブ入力部(３)との接当箇所に進入するように、スプリングリテーナ(１６)を配置した、ことを特徴とするエンジンの動弁装置。
【請求項２】
請求項１に記載されたエンジンの動弁装置において、
錘部(１１)はブリッジ出力部(５)(５)よりも低い位置まで垂設されている、ことを特徴とするエンジンの動弁装置。
【請求項３】
請求項１または請求項２に記載されたエンジンの動弁装置において、
錘部(１１)の下部(１１ａ)が錘部(１１)の他の部分よりも径大にされている、ことを特徴とするエンジンの動弁装置。
【発明の詳細な説明】
【技術分野】
【０００１】
本発明は、エンジンの動弁装置に関し、詳しくは、バルブブリッジの姿勢を安定化させることができるエンジンの動弁装置に関するものである。
【背景技術】
【０００２】
従来のエンジンの動弁装置として、本発明と同様、一対のバルブがバルブスプリングで閉弁方向に付勢され、両バルブの上端のバルブ入力端部にバルブブリッジの長手方向両端のブリッジ出力部が載って、バルブブリッジが一対の弁軸入力端部上に架設され、このバルブブリッジの長手方向中央部にバルブブリッジのブリッジ入力部が形成され、このブリッジ入力部の上面にロッカアームの先端のロッカアーム出力部が接当され、ロッカアーム出力部の下向き揺動により、バルブブリッジが下向きに押され、一対のバルブがバルブスプリングの付勢力に抗して開弁され、ロッカアーム出力部の上向揺動で、一対のバルブとバルブブリッジとがバルブスプリングの付勢力で上昇して、一対のバルブが閉弁され、バルブブリッジは昇降ガイド部による案内なしで昇降されるようになっているものがある(例えば、特許文献１参照)。
【０００３】
この種の動弁装置では、バルブブリッジと昇降ガイド部との摺動抵抗が無い分、馬力ロスが低減される利点がある。
しかし、従来のエンジンの動弁装置では、バルブブリッジの重心が高い位置にあるため、問題がある。
【先行技術文献】
【特許文献】
【０００４】
【特許文献１】特開２００１−１５２８１６号公報(図１、図３参照)
【発明の概要】
【発明が解決しようとする課題】
【０００５】
上記従来技術では、次の問題がある。
《問題》  バルブブリッジの姿勢が不安定になる。
バルブブリッジの重心が高い位置にあるため、バルブブリッジの姿勢が不安定になる。このため、エンジン運転中、バルブブリッジが幅方向に傾きやすく、ロッカアーム出力部がブリッジ入力部に片当たりし、これらが磨耗しやすい。また、ブリッジ出力部がバルブ入力部に片当たりし、これらが磨耗しやすい。また、バルブの開閉タイミングのずれや開度の過不足が起こり、出力が低下しやすい。
【０００６】
本発明は、上記問題点を解決することができるエンジンの動弁装置、すなわち、バルブブリッジの姿勢を安定化させることができるエンジンの動弁装置を提供することを課題とする。
【課題を解決するための手段】
【０００７】
(請求項１に係る発明)
請求項１に係る発明の発明特定事項は、次の通りである。
図３(Ａ)に例示するように、一対のバルブ(１)(１)がバルブスプリング(２)(２)で閉弁方向に付勢され、両バルブ(１)(１)の上端のバルブ入力部(３)(３)にバルブブリッジ(４)の長手方向両端のブリッジ出力部(５)(５)が載って、バルブブリッジ(４)が一対のバルブ入力部(３)(３)上に架設され、このバルブブリッジ(４)の長手方向中央部にバルブブリッジ(４)のブリッジ入力部(６)が形成され、このブリッジ入力部(６)の上面(７)にロッカアーム(８)の先端のロッカアーム出力部(９)が接当され、ロッカアーム出力部(９)の下向き揺動により、バルブブリッジ(４)が下向きに押され、一対のバルブ(１)(１)がバルブスプリング(２)(２)の付勢力に抗して開弁され、ロッカアーム出力部(９)の上向き揺動により、一対のバルブ(１)(１)とバルブブリッジ(４)とがバルブスプリング(２)(２)の付勢力で上昇して、一対のバルブ(１)(１)が閉弁され、バルブブリッジ(４)は昇降ガイド部による案内なしで昇降されるようになっている、エンジンの動弁装置において、
図５、図６に例示するように、バルブブリッジ(４)のブリッジ入力部(６)の下方に錘部(１１)が垂設され、
バルブブリッジ(４)の素材に焼結合金が用いられ、錘部(１１)にはバルブブリッジ(４)よりも比重の大きい素材が用いられ、
錘部(１１)から上向きに延長部(１１ｂ)が導出され、この延長部(１１ｂ)でバルブブリッジ(４)の他の部分よりも耐磨耗性の高いブリッジ入力部(６)が形成され、
両ブリッジ出力部(５)(５)の下部にバルブ入力部嵌合凹部(１３)(１３)が設けられ、各バルブ入力部嵌合凹部(１３)の内周面が相互に連続する径大円弧状内周面(１４)と径小円弧状内周面(１５)で構成され、
両径小円弧状内周面(１５)は連続する径大円弧状内周面(１４)よりもバルブブリッジ(４)の長手方向中央寄りに配置され、または、両径小円弧状内周面(１５)は連続する径大円弧状内周面(１４)よりもバルブブリッジ(４)の長手方向端部寄りに配置され、
一対のバルブ入力部(３)(３)はその両方が、一対の径大円弧状内周面(１４)(１４)に沿って内嵌され、または、一対のバルブ入力部(３)(３)はその両方が、一対の径小円弧状内周面(１５)(１５)に沿って内嵌され、
バルブスプリング(２)(２)のスプリングリテーナ(１６)上に溜まったエンジンオイル(１７)が、バルブ入力部(３)が内嵌されていないバルブ入力部嵌合凹部(１３)の空き空間(１８)を介して、ブリッジ出力部(５)とバルブ入力部(３)との接当箇所に進入するように、スプリングリテーナ(１６)を配置した、ことを特徴とするエンジンの動弁装置。
【発明の効果】
【０００８】
《効果》  バルブブリッジの姿勢安定化機能が高い。
図５、図６に例示するように、バルブブリッジ(４)のブリッジ入力部(６)の下方に錘部(１１)が垂設されているので、バルブブリッジ(４)の重心を効率的に下げることができ、バルブブリッジ(４)の姿勢安定化機能が高い。
【０００９】
《効果》  バルブブリッジの姿勢安定化機能が高い。
図５、図６に例示するように、バルブブリッジ(４)の素材に焼結合金が用いられ、錘部(１１)にはバルブブリッジ(４)よりも比重の大きい素材が用いられているので、バルブブリッジ(４)の重心を効率的に下げることができ、バルブブリッジ(４)の姿勢安定化機能が高い。
【００１０】
《効果》  ブリッジ入力部の磨耗抑制機能が高い。
図５、６に例示するように、バルブブリッジ(４)の素材に焼結合金が用いられ、この錘部(１１)から上向きに延長部(１１ｂ)が導出され、この延長部(１１ｂ)でバルブブリッジ(４)の他の部分よりも耐磨耗性の高いブリッジ入力部(６)が形成されているので、ブリッジ入力部(６)の磨耗抑制機能が高い。
《効果》  ブリッジ出力部とバルブ入力部との磨耗抑制機能が高い。
図２(Ａ)に例示するように、バルブスプリング(２)(２)のスプリングリテーナ(１６)上に溜まったエンジンオイル(１７)が、バルブ入力部(３)が内嵌されていないバルブ入力部嵌合凹部(１３)の空き空間(１８)を介して、ブリッジ出力部(５)とバルブ入力部(３)との接当箇所に進入するように、スプリングリテーナ(１６)を配置したので、ブリッジ出力部(５)とバルブ入力部(３)との磨耗抑制機能が高い。
《効果》  バルブ異仕様エンジン間で、バルブブリッジを兼用することができる。
図５，６(Ｃ)に例示するように、両ブリッジ出力部(５)(５)の下部にバルブ入力部嵌合凹部(１３)(１３)が設けられ、各バルブ入力部嵌合凹部(１３)の内周面が相互に連続する径大円弧状内周面(１４)と径小円弧状内周面(１５)で構成され、両径小円弧状内周面(１５)は連続する径大円弧状内周面(１４)よりもバルブブリッジ(４)の長手方向中央寄りに配置され、または、両径小円弧状内周面(１５)は連続する径大円弧状内周面(１４)よりもバルブブリッジ(４)の長手方向端部寄りに配置され、一対のバルブ入力部(３)(３)はその両方が、一対の径大円弧状内周面(１４)(１４)に沿って内嵌され、または、一対のバルブ入力部(３)(３)はその両方が、一対の径小円弧状内周面(１５)(１５)に沿って内嵌されるので、バルブ入力部(３)の径とバルブ離間距離(１９)(２０)が相違するバルブ異仕様エンジン間で、バルブブリッジ(４)を兼用することができる。
《効果》  バルブブリッジが長手方向にも幅方向にもずれることなく位置決めされる。
図５，６(Ｃ)に例示するように、一対のバルブ入力部(３)(３)はその両方が、一対の径大円弧状内周面(１４)(１４)に沿って内嵌され、または、一対のバルブ入力部(３)(３)はその両方が、一対の径小円弧状内周面(１５)(１５)に沿って内嵌されるので、一対のバルブ入力部(３)(３)と一対の径大円弧状内周面(１４)(１４)との接当、または、一対のバルブ入力部(３)(３)と一対の径小円弧状内周面(１５)(１５)との接当により、バルブブリッジ(４)が長手方向にも幅方向にもずれることなく位置決めされる。
【００１１】
（請求項２に係る発明）
請求項１に係る発明の効果に加え、次の効果を奏する。
《効果》  バルブブリッジの姿勢安定化機能が高い。
図５、図６に例示するように、錘部(１１)はブリッジ出力部(５)(５)よりも低い位置まで垂設されているので、バルブブリッジ(４)の重心を効率的に下げることができ、バルブブリッジ(４)の姿勢安定化機能が高い。
【００１２】
（請求項３に係る発明）
請求項１または請求項２に係る発明の効果に加え、次の効果を奏する。
《効果》  バルブブリッジの姿勢安定化機能が高い。
図６に例示するように、錘部(１１)の下部(１１ａ)が錘部(１１)の他の部分よりも径大にされているので、バルブブリッジ(４)の重心を効率的に下げることができ、バルブブリッジ(４)の姿勢安定化機能が高い。
【図面の簡単な説明】
【００１６】
【図１】本発明の第１参考形態に係るエンジンの動弁装置で用いるバルブブリッジを説明する図で、図１(Ａ)は平面図、図１(Ｂ)は側面図、図１(Ｃ)は底面図である。
【図２】本発明の第１参考形態に係るエンジンの動弁装置の要部拡大縦断面図である。
【図３】本発明の第１参考形態に係るエンジンの動弁装置を説明する図で、図３(Ａ)は縦断側面図、図３(Ｂ)は平面図である。
【図４】本発明の第２参考形態に係るエンジンの動弁装置で用いるバルブブリッジを説明する図で、図４(Ａ)は平面図、図４(Ｂ)は側面図、図４(Ｃ)は底面図である。
【図５】本発明の第１実施形態に係るエンジンの動弁装置で用いるバルブブリッジを説明する図で、図５(Ａ)は平面図、図５(Ｂ)は側面図、図５(Ｃ)は底面図である。
【図６】本発明の第２実施形態に係るエンジンの動弁装置で用いるバルブブリッジを説明する図で、図６(Ａ)は平面図、図６(Ｂ)は側面図、図６(Ｃ)は底面図である。
【図７】本発明の第３参考形態に係るエンジンの動弁装置で用いるバルブブリッジを説明する図で、図７(Ａ)は平面図、図７(Ｂ)は側面図、図７(Ｃ)は底面図である。
【図８】本発明の第４参考形態に係るエンジンの動弁装置で用いるバルブブリッジを説明する図で、図８(Ａ)は平面図、図８(Ｂ)は側面図、図８(Ｃ)は底面図である。
【図９】本発明の第５参考形態に係るエンジンの動弁装置で用いるバルブブリッジを説明する図で、図９(Ａ)は平面図、図９(Ｂ)は側面図、図９(Ｃ)は底面図である。
【発明を実施するための形態】
【００１７】
本発明の実施の形態を図面に基づいて説明する。図１から図３は本発明の第１参考形態に係るエンジンの動弁装置を説明する図、図４−９は本発明の第２参考形態、第１実施形態、第２実施形態、第３−５参考形態に係るエンジンの動弁装置を説明する図である。各参考形態と各実施形態では、立形の多気筒ディーゼルエンジンの動弁装置について説明する。
【００１８】
本発明の第１参考形態の概要は、次の通りである。
図３(Ａ)に示すように、シリンダブロック(図外)の上部にシリンダヘッド(２１)が取り付けられ、シリンダヘッド(２１)の上部にヘッドカバー(２２)が取り付けられている。シリンダヘッド(２１)内には吸気ポート(２３)と排気ポート(図外)とプッシュロッド挿通孔(２４)とが設けられている。吸気ポート(２３)には一対の吸気弁口(２５)(２５)が設けられ、この一対の吸気弁口(２５)(２５)を開閉する一対の吸気バルブ(１)(１)が配置されている。
シリンダヘッド(２１)の上部にはロッカアームブラケット(２６)が取り付けられ、このロッカアームブラケット(２６)に枢軸(２７)を介してロッカアーム(８)が揺動自在に取り付けられている。プッシュロッド挿通孔(２４)にはプッシュロッド(２８)が挿通されている。ロッカアームブラケット(２６)とロッカアーム(８)は、ヘッドカバー(２２)内に収容されている。
【００１９】
図３(Ａ)に示すように、一対の吸気バルブ(１)(１)は、動弁カム(図外)からタペット(図外)とプッシュロッド(２８)とロッカアーム(８)とバルブブリッジ(４)とを順に介して連動される。排気ポート(図外)の排気弁口(図外)は１つで、図３(Ｂ)に示すように、排気バルブ(２９)は動弁カム(図外)からタペット(図外)とプッシュロッド(図外)とロッカアーム(３０)とを介して連動される。図３(Ａ)に示すように、吸気バルブ(１)(１)のロッカアーム(８)の上部にあるオイル流出孔(３４)には、オイルパン(３１)のエンジンオイル(１７)が、オイルポンプ(３２)の圧送力で、オイルギャラリ(３３)と枢軸(２７)とを介して供給されている。排気バルブ(２９)のロッカアーム(３３)の上部にあるオイル流出孔(３５)にも同様にオイルパン(３１)のエンジンオイル(１７)が供給されている。
【００２０】
吸気バルブの動弁装置の概要は、次の通りである。
図２(Ａ)に示すように、一対のバルブ(１)(１)がバルブスプリング(２)(２)で閉弁方向に付勢され、両バルブ(１)(１)の上端のバルブ入力部(３)(３)にバルブブリッジ(４)の長手方向両端のブリッジ出力部(５)(５)が載って、バルブブリッジ(４)が一対のバルブ入力部(３)(３)上に架設されている。
このバルブブリッジ(４)の長手方向中央部にバルブブリッジ(４)のブリッジ入力部(６)が形成され、このブリッジ入力部(６)の上面(７)にロッカアーム(８)の先端のロッカアーム出力部(９)が接当され、ロッカアーム出力部(９)の下向き揺動により、バルブブリッジ(４)が下向きに押され、一対のバルブ(１)(１)がバルブスプリング(２)(２)の付勢力に抗して開弁され、ロッカアーム出力部(９)の上向き揺動により、一対のバルブ(１)(１)とバルブブリッジ(４)とがバルブスプリング(２)(２)の付勢力で上昇して、一対のバルブ(１)(１)が閉弁される。
バルブブリッジ(４)は昇降ガイド部による案内なしで昇降されるようになっている。
【００２１】
吸気バルブの動弁装置の工夫は、次の通りである。
図１(Ａ)(Ｂ)、図２(Ａ)に示すように、ブリッジ入力部(６)の上面(７)にオイル溜め溝(１０)が凹設されている。このため、オイル溜め溝(１０)が除肉されている分だけ、バルブブリッジ(４)の重心が下がり、バルブブリッジ(４)の姿勢を安定化させることができる。このため、エンジン運転中、バルブブリッジ(４)が幅方向に傾きにくく、ロッカアーム出力部(９)がブリッジ入力部(６)に片当たりする不具合が抑制され、これらの磨耗が抑制される。また、ブリッジ出力部(５)がバルブ入力部(３)に片当たりする不具合も抑制され、これらの磨耗が抑制される。また、バルブ(１)の開閉タイミングのずれや開度の過不足が起こる不具合も抑制され、これらに起因する出力の低下も抑制される。
また、オイル溜め溝(１０)に溜まったエンジンオイルが、ロッカアーム出力部(９)とブリッジ入力部(６)との摺動面に供給される。このため、ロッカアーム出力部(９)とブリッジ入力部(６)の磨耗抑制機能が高い。
図１(Ａ)(Ｂ)に示すように、ブリッジ入力部(６)は円柱形に形成され、オイル溜め溝(１０)は、バルブブリッジ(４)の長手方向に沿う直線状に形成されている。
【００２２】
図１(Ｂ)に示すように、バルブブリッジ(４)のブリッジ入力部(６)の下方に錘部(１１)が垂設されている。また、錘部(１１)はブリッジ出力部(５)(５)よりも低い位置まで垂設されている、このため、バルブブリッジ(４)の重心を効率的に下げることができ、バルブブリッジ(４)の姿勢安定化機能が高い。錘部(１１)は、バルブブリッジ(４)のブリッジ入力部(６)の真下に配置されている。
【００２３】
バルブブリッジ(４)の素材に焼結合金が用いられ、錘部(１１)にはバルブブリッジ(４)よりも比重の大きい素材が用いられている。バルブブリッジ(４)の素材に用いられる焼結合金は、鉄系焼結合金(ＳＭＦ)で、錘部(１１)に用いられる素材は鋼である。錘部(１１)は円柱形で、上部がバルブブリッジ(４)に埋設されることにより、バルブブリッジ(４)に固定されている。
ブリッジ入力部(６)の素材中に工具鋼の粉末が含有されている。工具鋼にはハイスが用いられている。
【００２４】
図１(Ｂ)(Ｃ)に示すように、両ブリッジ出力部(５)(５)の下部にバルブ入力部嵌合凹部(１３)(１３)が設けられ、各バルブ入力部嵌合凹部(１３)の内周面が相互に連続する径大円弧状内周面(１４)と径小円弧状内周面(１５)で構成され、両径小円弧状内周面(１５)は連続する径大円弧状内周面(１４)よりもバルブブリッジ(４)の長手方向中央寄りに配置され、図２(Ｂ)に示すように、一対のバルブ入力部(３)(３)はその両方が、一対の径大円弧状内周面(１４)(１４)に沿って内嵌されている。
そして、図２(Ａ)に示すように、バルブスプリング(２)(２)のスプリングリテーナ(１６)上に溜まったエンジンオイル(１７)が、バルブ入力部(３)が内嵌されていないバルブ入力部嵌合凹部(１３)の空き空間(１８)を介して、ブリッジ出力部(５)とバルブ入力部(３)との接当箇所に進入するように、スプリングリテーナ(１６)を配置してある。
【００２５】
この第１参考形態は、バルブ入力部(３)の径が大きく、長いバルブ離間距離(２０)の大径長離間バルブ仕様エンジンに関するものであるが、バルブ入力部(３)の径が小さく、短いバルブ離間距離(１９)の小径短離間仕様バルブエンジンでは、一対のバルブ入力部(３)(３)はその両方が、一対の径小円弧状内周面(１５)(１５)に沿って内嵌される。このため、大径長離間バルブ仕様エンジンと小径短離間仕様バルブエンジンとでバルブブリッジ(４)を兼用することができる。他の参考形態や実施形態でも同じである。
【００２６】
この第１参考形態では、図１(Ｃ)に示すように、両径小円弧状内周面(１５)は連続する径大円弧状内周面(１４)よりもバルブブリッジ(４)の長手方向中央寄りに配置されているが、両径小円弧状内周面(１５)は連続する径大円弧状内周面(１４)よりもバルブブリッジ(４)の長手方向端部寄りに配置されるものであってもよい。この場合、バルブ入力部(３)の径が小さく、長いバルブ離間距離の小径長離間バルブ仕様エンジンと、バルブ入力部(３)の径が大きく、短いバルブ離間距離の大径短離間バルブ仕様エンジンとで、バルブブリッジ(４)を兼用することができる。他の参考形態や実施形態でも同じである。
【００２７】
図４−９に示す第２参考形態、第１実施形態、第２実施形態、第３−５参考形態では、次の点を備えている。
図４に示す第２参考形態では、錘部(１１)の下部(１１ａ)が錘部(１１)の他の部分よりも径大にされている。この第２参考形態では、第１参考形態と同様、ブリッジ入力部(６)の素材中にも工具鋼の粉末が含有されている。
図５に示す第１実施形態では、バルブブリッジ(４)の素材に焼結合金が用いられ、錘部(１１)から上向きに延長部(１１ｂ)が導出され、この延長部(１１ｂ)でバルブブリッジ(４)の他の部分よりも耐磨耗性の高いブリッジ入力部(６)が形成されている。
錘部(１１)には低炭素鋼が用いられ、浸炭焼き入れ処理を施して、ブリッジ入力部(６)の表面硬度が高められている。このため、ブリッジ入力部(６)は、バルブブリッジ(４)の他の部分よりも硬度も密度も高く、耐摩耗性も高い。ブリッジ入力部(６)の表面硬度を高めるには、光輝焼き入れ処理を施してもよい。また、錘部(１１)に肌焼き鋼(低炭素鋼の一種)を用い、ブリッジ入力部(６)に高周波焼き入れ処理やレーザー焼き入れ処理等の表面熱処理を施してもよい。
図６に示す第２実施形態では、錘部(１１)の下部(１１ａ)が錘部(１１)の他の部分よりも径大にされ、バルブブリッジ(４)の素材に焼結合金が用いられ、錘部(１１)から上向きに延長部(１１ｂ)が導出され、この延長部(１１ｂ)でバルブブリッジ(４)よりも耐磨耗性の高いブリッジ入力部(６)が形成されている。
【００２８】
図７に示す第３参考形態では、第１参考形態と同様、バルブブリッジ(４)の素材に焼結合金が用いられ、ブリッジ入力部(６)の素材中に工具鋼の粉末が含有されている。この第５実施形態では、錘部(１１)も鉄系焼結合金(ＳＭＦ)である。
図８に示す第４参考形態では、第１参考形態と同様、バルブブリッジ(４)の素材には焼結合金が用いられ、錘部(１１)には焼結合金よりも比重の大きい鋼球(１２)が埋設されている。オイル溜め溝(１０)は、ブリッジ入力部(６)が円形になっている上面(７)の周縁部に沿って三日月形に形成され、バルブブリッジ(４)の一方の端部寄りに配置されている。この第４参考形態では、第１参考形態と同様、ブリッジ入力部(６)の素材中に工具鋼の粉末が含有されている。
図９に示す第５参考形態では、バルブブリッジ(４)の素材には焼結合金が用いられ、錘部(１１)には焼結合金よりも比重の大きい鋼球(１２)が埋設されている。バルブブリッジ(４)のブリッジ入力部(４)が円柱の幅方向両側を除肉して、除肉面(３６)(３６)が平坦面とされている。この第７実施形態では、第１参考形態と同様、ブリッジ入力部(６)の素材中に工具鋼の粉末が含有されている。
【００２９】
図４−９に示す本発明の第２参考形態、第１実施形態、第２実施形態、第３−５参考形態は、上記で説明した以外の点は、第１参考形態と同じ構成と機能を備えている。図４−９中、第１参考形態と同一の要素には図１と同一の符号を付しておく。
尚、図１、４−７、９に示す第１参考形態、第２参考形態、第１実施形態、第２実施形態、第３参考形態、第５参考形態では、バルブブリッジ(４)は、バルブブリッジ(４)の長手方向の中央を幅方向に横断する直立平面に対して面対称の構造となる。
また、図８に示す第４参考形態では、バルブブリッジ(４)は、オイル溜め溝(１０)の部分を除き、同様の面対称の構造となる。
本発明は、上記各実施形態に限定されるものではなく、一対の排気バルブのバルブブリッジに用いてもよい。
【符号の説明】
【００３０】
(１) バルブ
(２) バルブスプリング
(３) バルブ入力部
(４) バルブブリッジ
(５) ブリッジ出力部
(６) ブリッジ入力部
(７) 上面
(８) ロッカアーム
(９) ロッカアーム出力部
(１１) 錘部
(１１ａ) 下部
(１１ｂ) 延長部
(１３) バルブ入力部嵌合凹部
(１４) 径大円弧状内周面
(１５) 径小円弧状内周面
(１６) スプリングリテーナ
(１７) エンジンオイル
(１８) 空き空間
【図１】
0005444432.tif 000002
【図２】
0005444432.tif 000003
【図３】
0005444432.tif 000004
【図４】
0005444432.tif 000005
【図５】
0005444432.tif 000006
【図６】
0005444432.tif 000007
【図７】
0005444432.tif 000008
【図８】
0005444432.tif 000009
【図９】
0005444432.tif 000010